(57)【特許請求の範囲】
【請求項１】
通常の通電状態と消費電力が抑制された省エネ状態とを切替えて動作することが可能な画像形成装置と接続される画像表示装置であって、
タッチ操作を受付けて画像を表示するための表示操作手段と、
所定形状の描画像を貼付けるアイコンを前記表示操作手段に表示するための手段と、
前記表示操作手段が所定のマーキング操作を前記タッチ操作として受付けたことに応答して、前記画像形成装置の状態を省エネ状態から通常の通電状態に切替える起動信号を当該画像形成装置に送信するための起動信号送信手段と、
前記表示操作手段に表示されている画像の画像データを前記画像形成装置に送信するための画像データ送信手段とを含み、
前記表示操作手段は、前記アイコンのタッチによるマーキング操作を受付けて当該アイコンに対応する画像を表示するための手段を含み、
前記起動信号送信手段は、前記表示操作手段が前記アイコンのタッチ操作を受付けたことに応答して、前記画像形成装置の状態を省エネ状態から通常の通電状態に切替える起動信号を当該画像形成装置に送信するための手段を含む、画像表示装置。
【請求項２】
通常の通電状態と消費電力が抑制された省エネ状態とを切替えて動作することが可能な画像形成装置と接続される画像表示装置であって、
描画像を表示させるための描画操作であるタッチ操作を受付けて画像を表示するための表示操作手段と、
描画像が表示される前後の画像データの差分に基づいて、当該描画像が所定形状の描画像であるか否かを検出するための検出手段と、
前記表示操作手段が所定のマーキング操作を前記タッチ操作として受付けたことに応答して、前記画像形成装置の状態を省エネ状態から通常の通電状態に切替える起動信号を当該画像形成装置に送信するための起動信号送信手段と、
前記表示操作手段に表示されている画像の画像データを前記画像形成装置に送信するための画像データ送信手段とを含み、
前記起動信号送信手段は、前記検出手段の検出結果に基づいて、前記表示操作手段が所定形状の描画像の描画操作を前記所定のマーキング操作として受付けたことに応答して、前記画像形成装置の状態を省エネ状態から通常の通電状態に切替える起動信号を当該画像形成装置に送信するための手段を含む、画像表示装置。
【請求項３】
通常の通電状態と消費電力が抑制された省エネ状態とを切替えて動作することが可能な画像形成装置と接続される画像表示装置であって、
画像を表示するための表示手段と、
前記表示手段が画像を表示している間、前記画像表示装置の周囲の音声を認識するための音声認識手段と、
前記音声認識手段による音声の認識がされない時間を計測するための計時手段と、
音声の認識がされない状態で所定の時間が経過したことに応答して、前記画像形成装置の状態を省エネ状態から通常の通電状態に切替える起動信号を当該画像形成装置に送信するための起動信号送信手段と、
前記表示手段に表示されている画像の画像データを前記画像形成装置に送信するための画像データ送信手段とを含む、画像表示装置。
【請求項４】
通常の通電状態と消費電力が抑制された省エネ状態とを切替えて動作することが可能な画像形成装置と、前記画像形成装置と接続される画像表示装置とを含む画像形成システムであって、
前記画像表示装置は、
タッチ操作を受付けて画像を表示するための表示操作手段と、
所定形状の描画像を貼付けるアイコンを前記表示操作手段に表示するための手段と、
前記表示操作手段が所定のマーキング操作を前記タッチ操作として受付けたことに応答して、前記画像形成装置の状態を省エネ状態から通常の通電状態に切替える起動信号を当該画像形成装置に送信するための起動信号送信手段と、
前記表示操作手段に表示されている画像の画像データを前記画像形成装置に送信するための画像データ送信手段とを含み、
前記表示操作手段は、前記アイコンのタッチによるマーキング操作を受付けて当該アイコンに対応する画像を表示するための手段を含み、
前記起動信号送信手段は、前記表示操作手段が前記アイコンのタッチ操作を受付けたことに応答して、前記画像形成装置の状態を省エネ状態から通常の通電状態に切替える起動信号を当該画像形成装置に送信するための手段を含み、
前記画像形成装置は、
前記起動信号送信手段が送信した起動信号を受信し、自機の状態を省エネ状態から通常の通電状態にするための手段と、
前記画像データ送信手段が送信した画像データを受信して当該画像データに基づく画像を形成するための手段とを含む、画像形成システム。
【請求項５】
通常の通電状態と消費電力が抑制された省エネ状態とを切替えて動作することが可能な画像形成装置と、前記画像形成装置と接続される画像表示装置とを含む画像形成システムであって、
前記画像表示装置は、
描画像を表示させるための描画操作であるタッチ操作を受付けて画像を表示するための表示操作手段と、
描画像が表示される前後の画像データの差分に基づいて、当該描画像が所定形状の描画像であるか否かを検出するための検出手段と、
前記表示操作手段が所定のマーキング操作を前記タッチ操作として受付けたことに応答して、前記画像形成装置の状態を省エネ状態から通常の通電状態に切替える起動信号を当該画像形成装置に送信するための起動信号送信手段と、
前記表示操作手段に表示されている画像の画像データを前記画像形成装置に送信するための画像データ送信手段とを含み、
前記起動信号送信手段は、前記検出手段の検出結果に基づいて、前記表示操作手段が所定形状の描画像の描画操作を前記所定のマーキング操作として受付けたことに応答して、前記画像形成装置の状態を省エネ状態から通常の通電状態に切替える起動信号を当該画像形成装置に送信するための手段を含み、
前記画像形成装置は、
前記起動信号送信手段が送信した起動信号を受信し、自機の状態を省エネ状態から通常の通電状態にするための手段と、
前記画像データ送信手段が送信した画像データを受信して当該画像データに基づく画像を形成するための手段とを含む、画像形成システム。
【請求項６】
通常の通電状態と消費電力が抑制された省エネ状態とを切替えて動作することが可能な画像形成装置と、前記画像形成装置と接続される画像表示装置とを含む画像形成システムであって、
前記画像表示装置は、
画像を表示するための表示手段と、
前記表示手段が画像を表示している間、前記画像表示装置の周囲の音声を認識するための音声認識手段と、
前記音声認識手段による音声の認識がされない時間を計測するための計時手段と、
音声の認識がされない状態で所定の時間が経過したことに応答して、前記画像形成装置の状態を省エネ状態から通常の通電状態に切替える起動信号を当該画像形成装置に送信するための起動信号送信手段と、
前記表示手段に表示されている画像の画像データを前記画像形成装置に送信するための画像データ送信手段とを含み、
前記画像形成装置は、
前記起動信号送信手段が送信した起動信号を受信し、自機の状態を省エネ状態から通常の通電状態にするための手段と、
前記画像データ送信手段が送信した画像データを受信して当該画像データに基づく画像を形成するための手段とを含む、画像形成システム。
【発明の詳細な説明】
【技術分野】
【０００１】
本発明は、画像表示装置、及び、画像形成システムに関し、特に、省エネ状態に移行する画像形成装置と接続される画像表示装置、及び、その画像表示装置を含む画像形成システムに関する。
【背景技術】
【０００２】
パーソナルコンピュータ等の情報処理装置で作成した画像データを紙媒体に印刷するために、多くのオフィス（会社、事務所等）にプリンタ等の画像形成装置が導入されている。こうした画像形成装置においては、消費電力の削減等のために、印刷ジョブ（画像データ）が受信されない状態が所定の時間続くと、自動的に、通常の通電状態から消費電力が抑制された省エネ状態に移行するようになってきている。
【０００３】
画像形成装置は、通常の通電状態の時に印刷ジョブを受信すると直ちに印刷を実行することが可能である。一方、省エネ状態の時には印刷ジョブを受信しても直ちに印刷を実行することができず、通常の通電状態に復帰させる必要がある。省エネ状態から通常の通電状態への復帰にはある程度の時間を要する。その間、ユーザは待機することになる。
【０００４】
後掲の特許文献１は、プリンタドライバが起動されたときに、印刷に影響を与えないコード又はコマンドをプリンタ側に送信することによって、省エネ状態のプリンタを通常の通電状態に復帰させる技術を開示する。特許文献１では、印刷ジョブの送信前にプリンタを復帰させるコマンド又はコードを送信するため、ユーザの待機時間を短縮できる。
【先行技術文献】
【特許文献】
【０００５】
【特許文献１】特開平１０−２３５９７０号公報
【発明の概要】
【発明が解決しようとする課題】
【０００６】
近年、タッチパネルを用いてユーザからの指示入力（タッチ）を受付ける画像表示装置の１つとして、電子黒板装置が普及しつつある。電子黒板装置は例えば会議等で用いられる。特によく利用されている電子黒板装置は、大型の表示画面を有する表示装置と、タッチパネル等の２次元における位置座標を検知する入力装置とを組合せたコンピュータシステムを含む。
【０００７】
一般的に、電子黒板装置は、表示画面上においてペン等によって指定される位置座標を逐次読取り、読取った情報を元に入力の軌跡を表示装置に表示する。これによって、電子黒板装置は、手書き入力等、電子黒板としての機能を実現している。
【０００８】
こうした電子黒板装置において、表示された画像を印刷するために、当該電子黒板装置に画像形成装置を接続して用いる場合がある。接続される画像形成装置が省エネ状態で動作する装置であれば、上記と同様の問題が生じる。この場合、特許文献１に記載のように、プリンタドライバの起動時に印刷に影響を与えないコードを画像形成装置に送信するようにすればユーザの待機時間を短縮することが可能である。
【０００９】
しかし、プリンタドライバを起動するということは、ユーザが印刷するための命令を実行する段階であるため、プリンタドライバが起動した後、印刷ジョブが送信されるまでの時間はそれほど長くはない。そのため、プリンタドライバが起動して印刷ジョブを送信可能な状態になっても、画像形成装置は未だ復帰途中の状態である。特許文献１に記載の技術を用いることにより、ユーザの待機時間はある程度短縮されるものの、画像形成装置が通常の通電状態に復帰するまで依然としてユーザは待機することになる。
【００１０】
本発明は、上記のような課題を解決するためになされたものであり、本発明の１つの目的は、画像形成装置の復帰に伴うユーザの待機時間を効果的に短縮できる画像表示装置及び画像形成システムを提供することである。
【課題を解決するための手段】
【００１１】
上記目的を達成するために、本発明の第１の局面に係る画像表示装置は、通常の通電状態と消費電力が抑制された省エネ状態とを切替えて動作することが可能な画像形成装置と接続される画像表示装置である。この画像表示装置は、タッチ操作を受付けて画像を表示するための表示操作手段と、表示操作手段が所定のマーキング操作をタッチ操作として受付けたことに応答して、画像形成装置の状態を省エネ状態から通常の通電状態に切替える起動信号を当該画像形成装置に送信するための起動信号送信手段と、表示操作手段に表示されている画像の画像データを画像形成装置に送信するための画像データ送信手段とを含む。
【００１２】
画像表示装置は、ユーザによるタッチ操作を受付けて画像を表示する。画像表示装置はさらに、表示操作手段が所定のマーキング操作をタッチ操作として受付けたことに応答して、起動信号を画像形成装置に送信する。画像形成装置は、画像表示装置からの起動信号を受信すると、通常の通電状態への復帰を開始する。これにより、容易に、画像形成装置を復帰させることができる。加えて、画像表示装置に表示された画像を画像形成装置で印刷する際に、画像データを画像形成装置に送信する前に、予め、画像形成装置の復帰を開始させておくことができる。そのため、画像データを送信してから印刷を行なうまでの時間を効果的に短縮できる。
【００１３】
この際、省エネ状態から通常の通電状態への復帰に要する時間を考慮したタイミングで、所定のマーキング操作を行なうことにより、画像データの送信時には、画像形成装置を通常の通電状態に復帰した状態とすることができる。これにより、画像形成装置の復帰に伴うユーザの待機時間を一層効果的に短縮できる。
【００１４】
画像表示装置を例えば会議等で使用する場合、所定のマーキング操作は、会議が終了する前によく行なう操作（動作）とするのが好ましい。このようにすれば、別途、特別な操作を必要とせずに、起動信号を画像形成装置に送信できる。すなわち、通常の画像表示装置の使用に基づいて印刷開始を予測し、事前に起動信号を画像形成装置に送信できる。これにより、会議の終了時には画像形成装置は通常の通電状態に復帰した状態となっているので、会議の終了時に直ぐに画像形成装置による印刷を開始できる。
【００１５】
好ましくは、画像表示装置は、画像表示装置は、所定形状の描画像を貼付けるアイコンを表示操作手段に表示するための手段をさらに含み、表示操作手段は、アイコンのタッチによるマーキング操作を受付けて当該アイコンに対応する画像を表示するための手段を含み、起動信号送信手段は、表示操作手段がアイコンのタッチ操作を受付けたことに応答して、画像形成装置の状態を省エネ状態から通常の通電状態に切替える起動信号を当該画像形成装置に送信するための手段を含む。
【００１６】
画像表示装置は、タッチによるアイコンの操作を受付けて当該アイコンに対応する画像を表示する。画像表示装置はさらに、表示操作手段がアイコンのタッチ操作を受付けたことに応答して、起動信号を画像形成装置に送信する。アイコンがタッチ操作されたか否かは容易に検知できるため、検知に時間が掛からない。そのため、起動信号の送信が速い。したがって、容易に、画像形成装置の復帰に伴うユーザの待機時間を効果的に短縮できる。
【００１７】
さらに好ましくは、タッチ操作は、描画像を表示するための描画操作であり、画像表示装置はさらに、描画像が表示される前後の画像データの差分に基づいて、当該描画像が所定形状の描画像であるか否かを検出するための検出手段を含み、起動信号送信手段は、検出手段の検出結果に基づいて、表示操作手段が所定形状の描画像の描画操作を所定のマーキング操作として受付けたことに応答して、画像形成装置の状態を省エネ状態から通常の通電状態に切替える起動信号を当該画像形成装置に送信するための手段を含む。
【００１８】
画像表示装置は、ユーザによる描画操作を受付けて描画像を表示する。画像表示装置はさらに、描画操作によって描画された描画像が所定形状の描画像である場合、起動信号を画像形成装置に送信する。このように、所定形状の描画像を描画することによって、起動信号を画像形成装置に送信できるため、ユーザによって特別な操作の必要がない。そのため、ユーザの使い勝手が向上する。
【００１９】
本発明の第２の局面に係る画像表示装置は、通常の通電状態と消費電力が抑制された省エネ状態とを切替えて動作することが可能な画像形成装置と接続される画像表示装置である。この画像表示装置は、画像を表示するための表示手段と、表示手段が画像を表示している間、画像表示装置の周囲の音声を認識するための音声認識手段と、音声認識手段による音声の認識がされない時間を計測するための計時手段と、音声の認識がされない状態で所定の時間が経過したことに応答して、画像形成装置の状態を省エネ状態から通常の通電状態に切替える起動信号を当該画像形成装置に送信するための起動信号送信手段と、表示手段に表示されている画像の画像データを画像形成装置に送信するための画像データ送信手段とを含む。
【００２０】
画像表示装置を会議等で用いる場合、会議の終了前には発言が出なくなることが多い。画像表示装置は、音声の認識がされない状態で所定の時間が経過したことに応答して、起動信号を画像形成装置に送信する。これにより、会議の終了を予測して、事前に起動信号を画像形成装置に送信できる。会議の終了時には画像形成装置は通常の通電状態に復帰した状態となっているので、会議の終了時に直ぐに画像形成装置による印刷を開始できる。
【００２１】
本発明の第３の局面に係る画像形成システムは、通常の通電状態と消費電力が抑制された省エネ状態とを切替えて動作することが可能な画像形成装置と、画像形成装置と接続される画像表示装置とを含む画像形成システムである。この画像形成システムにおいて、画像表示装置は、タッチ操作を受付けて画像を表示するための表示操作手段と、表示操作手段が所定のマーキング操作をタッチ操作として受付けたことに応答して、画像形成装置の状態を省エネ状態から通常の通電状態に切替える起動信号を当該画像形成装置に送信するための起動信号送信手段と、表示操作手段に表示されている画像の画像データを画像形成装置に送信するための画像データ送信手段とを含む。画像形成装置は、起動信号送信手段が送信した起動信号を受信し、自機の状態を省エネ状態にするための手段と、画像データ送信手段が送信した画像データを受信して当該画像データに基づく画像を形成するための手段とを含む。
【００２２】
画像表示装置は、ユーザによるタッチ操作を受付けて画像を表示する。画像表示装置はさらに、表示操作手段が所定のマーキング操作をタッチ操作として受付けたことに応答して、起動信号を画像形成装置に送信する。画像形成装置は、画像表示装置からの起動信号を受信すると、通常の通電状態への復帰を開始する。これにより、容易に、画像形成装置を復帰させることができる。加えて、画像表示装置に表示された画像を画像形成装置で印刷する際に、画像データを画像形成装置に送信する前に、予め、画像形成装置の復帰を開始させておくことができる。その結果、画像データを送信してから印刷を行なうまでの時間を効果的に短縮できる。
【発明の効果】
【００２３】
以上より、本発明によれば、画像形成装置の復帰に伴うユーザの待機時間を効果的に短縮できる画像表示装置及び画像形成システムを容易に得ることができる。
【図面の簡単な説明】
【００２４】
【図１】本発明の第１の実施の形態に係る画像形成システムの全体構成を示す図である。
【図２】図１に示す電子黒板装置を簡略化して示す図（表示装置に表示される画面例を示す図）である。
【図３】図１に示す電子黒板装置のハードウェア構成を示す制御ブロック図である。
【図４】図１に示す画像形成装置のハードウェア構成を示す制御ブロック図である。
【図５】図１に示す電子黒板装置で実行されるプログラムの制御構造を示すフローチャートである。
【図６】本発明の第１の実施の形態に係る画像形成システムの動作を説明するための遷移図である。
【図７】本発明の第３の実施の形態に係る電子黒板装置のハードウェア構成を示す制御ブロック図である。
【図８】本発明の第３の実施の形態に係る電子黒板装置を簡略化して示す図である。
【図９】本発明の第３の実施の形態に係る電子黒板装置実行されるプログラムの制御構造を示すフローチャートである。
【図１０】本発明の第４の実施の形態に係る電子黒板装置のハードウェア構成を示す制御ブロック図である。
【発明を実施するための形態】
【００２５】
以下の実施の形態では、同一の部品には同一の参照番号を付してある。それらの機能及び名称も同一である。したがって、それらについての詳細な説明は繰返さない。以下では、画像表示装置の一例である電子黒板装置に本発明を適用した場合について説明する。
【００２６】
（第１の実施の形態）
［全体システム構成］
図１を参照して、本実施の形態に係る画像形成システム５０の全体構成について説明する。この画像形成システム５０は、画像形成装置１００と、画像形成装置１００と接続された電子黒板装置２００とを含む。画像形成装置１００と電子黒板装置２００とは互いに信号の送受信を行なう。
【００２７】
画像形成装置１００は、例えばコピー機能、プリンタ機能及びファクシミリ機能等を備える複合機である。この画像形成装置１００は、レーザ光を露光に利用する、所謂レーザ方式（電子写真方式）の印刷機能を備える。しかし、他の形式の印刷機能を備えたものであってもよい。
【００２８】
画像形成装置１００は、通常の通電状態である通常モード及び消費電力が抑制された省エネ状態のモードである省エネモードを有する。画像形成装置１００は、印刷等の指示がない状態が所定の時間続くと通常モードから省エネモードに移行して、消費電力を削減するように構成されている。
【００２９】
通常モードは、印刷等の指示を受付けるまで待機している状態のモードである。画像形成装置１００は、通常モードの時に例えば印刷指示（印刷ジョブ）を受付けると直ちに印刷を実行する。画像形成装置１００はまた、印刷等の指示がない状態が所定の時間続くと、消費電力を抑制するために、通常モードから省エネモードに移行する。省エネモードでは、消費電力の削減を図るために、必要な箇所にのみ電力が供給されている。この省エネモードでは、画像形成のための後述する定着装置（図示せず。）への電力供給も抑制される。そのため、省エネモードでは、印刷等の指示を受付けた場合でも直ちに処理を実行することができず、通常モードに復帰させる必要がある。通常、画像形成装置１００は、省エネモードの状態でパーソナルコンピュータ（ＰＣ）又はファクシミリ装置等の外部機器から送信された画像データを受信すると、通常モードへの復帰を開始する。通常モードに復帰した後、所定の時間が経過すると再び省エネモードに移行する。
【００３０】
電子黒板装置２００は、大型の表示画面を有する表示装置２１０と、コンピュータからなる制御装置２２０（図２参照）とを含む。制御装置２２０の詳細については後述する。本画像形成システム５０では、電子黒板装置２００が画像形成装置１００と接続されることで、電子黒板装置２００に表示された画像等を画像形成装置１００で印刷することが可能に構成されている。
【００３１】
本実施の形態では、電子黒板装置２００（画像形成システム５０）を会議等で用いるものとする。
【００３２】
図２を参照して、電子黒板装置２００を会議等で使用する場合、電子黒板装置２００を用いて議事録を作成し、会議の終了時に作成した議事録を印刷して参加者に配布することがある。電子黒板装置２００に議事を書いた後に会議を終了する場合は、会議の内容を再確認する意味で、例えば推進担当者の名前を○（丸）で囲ったり、アクションアイテム（会議で決定した、参加者が次に実行すべき作業）等の文字列にアンダーラインを引いたりして会議を終了する場合が多い。推進担当者の名前を○で囲ったり、アクションアイテム、期限等の文字列にアンダーラインを引いたりする行為は、会議の纏めに入った行為であるといえる。
【００３３】
電子黒板装置２００は、こうした操作（マーキング操作）を検出し、操作の検出に応答して画像形成装置１００の状態を省エネモードから通常モードに切替える起動信号を当該画像形成装置１００に送信する。すなわち、電子黒板装置２００は、こうしたマーキング操作がされたこと（受付けたこと）を検出することによって会議の終了を予測し、議事録の印刷時には画像形成装置１００が通常モードとなるように、印刷の開始前に前もって起動信号を画像形成装置１００に送信する。画像形成装置１００は起動信号を受信すると復帰（起動）を開始し、所定のウォームアップ時間の経過後に通常モードに復帰する。作成した議事録を印刷するためにユーザによって印刷指示の操作が行なわれると、電子黒板装置２００は議事録の画像データを印刷するコマンドとともに当該画像データを画像形成装置１００に送信する。画像形成装置１００がコマンドを受信したときには当該画像形成装置１００は既に復帰（起動）しており、速やかに印刷を開始できる。
【００３４】
［ハードウェア構成］
《電子黒板装置２００》
図３を参照して、電子黒板装置２００は、大画面の表示装置２１０と、コンピュータからなる制御装置２２０とを含む。
【００３５】
制御装置２２０は、パーソナルコンピュータ等の情報処理装置からなり、例えば表示装置２１０の裏面側等の所定部分に取付けられる。制御装置２２０は、所定のプログラムを実行することにより、電子黒板装置２００の全体の制御を実現するための中央演算処理装置（ＣＰＵ）２２２と、電子黒板装置２００の電源が投入されたときにＣＰＵ２２２が読出すプログラムを記憶する読出専用メモリ（ＲＯＭ）２２４と、ＣＰＵ２２２が作業用メモリとして使用するランダム・アクセス・メモリ（ＲＡＭ）２２６と、電子黒板装置２００の電源が切断されたときに記録を保持することが可能な記録部２２８と、ＣＰＵ２２２の制御にしたがって表示装置２１０及び画像形成装置１００とのデータの送受信を制御する内部バスコントローラ２３０と、これらを互いに接続し、相互の間のデータ及び制御信号の通信を可能にするバス２３２とを含む。
【００３６】
制御装置２２０はさらに、内部バスコントローラ２３０に接続され、内部バスコントローラ２３０の制御にしたがって表示装置２１０に信号を出力するデバイス（１）２３４と、内部バスコントローラ２３０に接続され、内部バスコントローラ２３０の制御にしたがって外部装置（本実施の形態では画像形成装置１００）との接続を提供するインターフェイスであるデバイス（２）２３６とを含む。デバイス（１）２３４及びデバイス（２）２３６は、コネクタ及びその制御チップ（制御回路）を含む。上記コネクタは、例えば、ＲＳ２３２Ｃ及びＵＳＢ（Ｕｎｉｖｅｒｓａｌ  Ｓｅｒｉａｌ  Ｂｕｓ）を含む。
【００３７】
ＲＯＭ２２４は、電子黒板装置２００の電源投入時にＣＰＵ２２２が実行し、電子黒板装置２００が所定の動作をするように電子黒板装置２００の全体を設定するためのプログラム及びデータを記憶している。電子黒板装置２００の動作を実現するためのプログラムもＲＯＭ２２４に記憶されている。記録部２２８は、通電が遮断された場合にもデータを保持する不揮発性記憶装置であり、例えば、ハードディスクドライブ又はフラッシュメモリ等である。記録部２２８は電子黒板装置２００に対して着脱可能でもよい。記録部２２８は、ＣＰＵ２２２が実行するプログラムの一部を記憶することもできる。ＣＰＵ２２２は、通常動作時にはＲＯＭ２２４又は記録部２２８からプログラムをＲＡＭ２２６上にロードし、図示しないプログラムカウンタにより指定されるアドレスから命令を順次読出して実行する。ＣＰＵ２２２は、ＲＯＭ２２４及び記録部２２８に格納されているプログラムにしたがって電子黒板装置２００を構成する各部の制御を行なう。
【００３８】
表示装置２１０はタッチパネルディスプレイからなり、所定の表示面上に画像を表示する表示パネル２１２と、表示パネル２１２の画像の表示面のどの位置がユーザによりタッチされたかを検出するタッチパネル２１４とを含む。タッチパネル２１４は、タッチがあったことを検出し、検出があったことを示す信号を出力する機能と、そのときのタッチ位置を示す座標データを出力する機能とを持つ。本実施の形態では、タッチパネル２１４は、赤外線遮断検出方式である。表示パネル２１２はフルカラー表示が可能な液晶表示パネル等の表示パネルであり、ＣＰＵ２２２の制御の下で表示画面上に、図示しない画像処理部で処理された画像を表示する。
【００３９】
なお、タッチパネル２１４には、赤外線遮断方式以外のタッチパネル（静電容量方式、表面弾性波方式、抵抗膜方式、カメラの画像から座標を割り出す赤外線カメラ方式等）を用いてもよい。静電容量方式及び赤外線カメラ方式では、センサに近接していれば非接触でも位置を検出できる。
【００４０】
電子黒板装置２００は、種々のアプリケーションソフトを起動することが可能であり、起動したアプリケーションソフトに対応した機能を実現する。アプリケーションソフトは、電子黒板装置２００の主要な機能である、タッチペン（図示せず）等による描画を実現するペンソフトを含む。すなわち、電子黒板装置２００は、表示画面上においてタッチペン等によって指定される位置座標を逐次読取り、読取った情報を元に入力の軌跡を表示パネルに表示する。これによって、電子黒板装置２００は、手書き入力等の描画機能を実現している。
【００４１】
図２を参照して、このペンソフトでは、電子黒板装置２００の表示画面にマーキング用のアイコン２５０が予め準備されている。アイコン２５０は、例えば○（丸）を表示するためのアイコン２５０ａ、アンダーラインを表示するためのアイコン２５０ｂ及びサマリ（ｓｕｍｍａｒｙ）用のアイコン２５０ｃを含む。アイコン２５０ａをタッチした後に○を表示したい位置をタッチすると、タッチした位置に○が表示される。アイコン２５０ｂをタッチした後にアンダーラインを表示したい位置をタッチすると、タッチした位置にアンダーラインが表示される。アイコン２５０ｃをタッチすると、要約用の書式が表示される。例えば、アイコン２５０ｃをタッチすることによって、「サマリ」という文字とともに、枠線又は星印等が表示される。このように、アイコン２５０のタッチによって、当該アイコンに対応する画像（描画像）が表示画面に貼付けられる。
【００４２】
これらのアイコン２５０は例えば議事録の作成時等に使用される。電子黒板装置２００は、これらのアイコン２５０のいずれかがタッチ操作されたことを検出すると、その検出に応答して、画像形成装置１００を復帰（起動）させるための起動信号を当該画像形成装置１００に対して送信する。本実施の形態において、「タッチ操作」は、手書き入力等の描画操作を含む。
【００４３】
《画像形成装置１００》
図４を参照して、画像形成装置１００は、バス１９０と、バス１９０に接続されたＣＰＵ１１０と、バス１９０に接続されたＲＯＭ１２０と、バス１９０に接続されたＲＡＭ１３０と、バス１９０に接続されたＨＤＤ（ハードディスクドライブ）１４０と、バス１９０に接続され、タッチパネルディスプレイ１８０との間の接続に関するインターフェイスを提供するための入力ＩＦ１５０及びディスプレイＩＦ１６０と、バス１９０に接続され、有線又は無線（本実施の形態においては有線）により電子黒板装置２００との接続を提供する通信部１７０とを含む。
【００４４】
バス１９０、ＲＯＭ１２０、ＲＡＭ１３０、ＨＤＤ１４０、入力ＩＦ１５０、ディスプレイＩＦ１６０及び通信部１７０は、いずれもＣＰＵ１１０の制御の下に協調して動作し、画像形成装置１００において、プリント処理及びコピー処理等を実現する。なお、これらの処理は、図４においては図示していない画像形成装置１００を構成する各部品がＣＰＵ１１０により制御されて実行される。
【００４５】
画像形成装置１００は、例えば、原稿読取部、画像形成部、給紙部、及び排紙処理装置を備える。画像形成装置１００においては、電子黒板装置２００から受信した画像データに対して、ＣＰＵ１１０により各種の画像処理が施され、この画像データが画像形成部へと出力される。
【００４６】
画像形成部は、画像データによって示される画像を記録用紙に印刷するものであって、例えば、感光体ドラム、帯電装置、レーザスキャンユニット、現像装置、転写装置、クリーニング装置、定着装置、及び除電装置等を備えている。画像形成部には、例えば、搬送路が設けられており、給紙部から給紙されてきた記録用紙が搬送路に沿って搬送される。給紙部は、用紙カセットに収納された記録用紙、又は手差トレイに載置された記録用紙を１枚ずつ引出して記録用紙を画像形成部の搬送路へと送り出す。
【００４７】
画像形成部の搬送路に沿って記録用紙が搬送されている途中で、記録用紙が感光体ドラムと転写装置との間を通過し、さらに定着装置を通過して、記録用紙に対する印刷が行なわれる。
【００４８】
感光体ドラムは、一方向に回転し、その表面は、クリーニング装置と除電装置によりクリーニングされた後、帯電装置により均一に帯電される。レーザスキャンユニットは、印刷対象の画像データに基づいてレーザ光を変調し、このレーザ光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。
【００４９】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。
【００５０】
画像形成装置１００は、電子黒板装置２００からの起動信号を受信すると、省エネモードから通常モードに切替える。すなわち、通常モードへの復帰を開始する。なお、通常モードの状態のときに起動信号を受信した場合、画像形成装置１００は通常モードの状態を維持する。
【００５１】
［ソフトウェア構成］
図５を参照して、本実施の形態に係る画像形成システム５０において、電子黒板装置２００で実行されるコンピュータプログラムの制御構造について説明する。このプログラムは、ペンソフト等の印刷機能を有するアプリケーションソフトが起動されることによって起動される。
【００５２】
このプログラムは、タッチペン等によるタッチ操作がされたか否かを判定し、タッチ操作があるまで待機するステップＳ１０００と、ステップＳ１０００において、タッチ操作がされたと判定された場合に実行され、タッチペン等によるタッチ操作（描画装置）を受付けて表示画面に画像を表示し、表示画像の画像データを作成するステップＳ１０１０と、ステップＳ１０１０の後に実行され、所定のマーキング操作（タッチ操作）が検出されたか否かを判定し、判定結果に応じて制御の流れを分岐させるステップＳ１０２０と、ステップＳ１０２０において、所定のマーキング操作が検出されたと判定された場合に実行され、画像形成装置１００を起動するための起動信号を当該画像形成装置１００に送信するステップＳ１０３０とを含む。
【００５３】
ステップＳ１０２０では、例えば、○（丸）を表示（描画）するためのアイコン２５０ａ、アンダーラインを表示（描画）するためのアイコン２５０ｂ及びサマリ用のアイコン２５０ｃのいずれかがタッチされると、所定のマーキング操作が行なわれたと判定される。すなわち、所定のマーキング操作が検出される。ステップＳ１０２０において、所定のマーキング操作が検出されていないと判定された場合は、制御はステップＳ１０００に戻る。
【００５４】
このプログラムはさらに、ステップＳ１０３０の後に実行され、ユーザによる印刷指示がされたか否かを判定し、判定結果に応じて制御の流れを分岐させるステップＳ１０４０と、ステップＳ１０４０において、印刷指示がされていないと判定された場合に実行され、タッチペン等によるタッチ操作（描画装置）がされたか否かを判定し、タッチ操作があるまで待機するステップＳ１０５０と、ステップＳ１０５０において、タッチ操作がされたと判定された場合に実行され、タッチペン等によるタッチ操作を受付けて表示画面に画像を表示し、表示画像の画像データを作成するステップＳ１０６０と、ステップＳ１０６０の後に実行され、所定のマーキング装置（タッチ操作）が検出されたか否かを判定し、判定結果に応じて制御の流れを分岐させるステップＳ１０７０とを含む。
【００５５】
ステップＳ１０７０において、所定のマーキング操作が検出されたと判定された場合は、制御はステップＳ１０３０に戻り、所定のマーキング操作が検出されていないと判定された場合は、制御はステップＳ１０４０に戻る。
【００５６】
このプログラムはさらに、ステップＳ１０４０において、印刷指示がされたと判定された場合に実行され、印刷を実行させるコマンドとともに、画像データを画像形成装置１００に送信するステップＳ１０８０と、ステップＳ１０８０の後に実行され、ユーザによる終了操作がされたか否かを判定し、判定結果に応じて制御の流れを分岐させるステップＳ１０９０とを含む。
【００５７】
ステップＳ１０９０において、ユーザによる終了操作がされたと判定された場合は、このプログラムは終了する。一方、ステップＳ１０９０において、ユーザによる終了操作がされていないと判定された場合は、制御はステップＳ１０００に戻る。ユーザによる終了操作は、例えば、本アプリケーションソフトを終了させる操作を含む。
【００５８】
［動作］
本実施の形態に係る画像形成システム５０は以下のように動作する。以下の説明では、電子黒板装置２００の動作の内、本発明に関連する部分のみを説明する。他の動作は従来の電子黒板装置２００の動作と同様である。
【００５９】
電子黒板装置２００を用いて会議が行なわれているものとする。図６を参照して、ユーザがタッチペンにより電子黒板装置２００に描画操作（画像作成）を行なうと、電子黒板装置２００はユーザによるタッチ操作を受付けて表示画面に描画像を表示する。電子黒板装置２００は、表示画面に表示されている画像（表示画像）の画像データを作成する（図５及び図６におけるステップＳ１０１０）。ユーザが電子黒板装置２００に対して所定の動作（所定のタッチ操作）を行なうと、電子黒板装置２００は起動信号を画像形成装置１００に送信する。
【００６０】
一般に、会議では、電子黒板装置２００にタッチペン等で書込みをした表示画像のデータが会議の終了時に議事録として印刷され、会議の出席者に配布される。本画像形成システム５０では、ユーザが会議の最後に行なう動作に着目し、会議の最後に行なう議事録の確認においてのマーキング操作をキーとして画像形成装置１００の起動を行なう。
【００６１】
図２を参照して、電子黒板装置２００に議事を書いた後に会議を終了する場合は、会議の内容を再確認する意味で、担当者の名前を○で囲ったり、文字列にアンダーラインを引いたりして会議を終了する場合が多い。名前を○で囲む場合、○のアイコン２５０ａをタッチした後に所望の担当者をタッチするとその担当者が○で囲まれる。○の円の大きさ、線の太さ等は任意に変更可能である。同様に、例えばアクションアイテム及び期限等にアンダーラインを引く場合は、アンダーラインのアイコン２５０ｂをタッチした後に所望の文字列に線を引くとアンダーラインが引かれる。アンダーラインの線の太さ、色等は任意に変更可能である。
【００６２】
こうしたマーキング操作は、会議の最後に行なわれるため、電子黒板装置２００は、所定の動作としてこのようなマーキング操作が行なわれたことを検出すると、画像形成装置１００に対して起動信号を送信する。なお、アイコン２５０ａ又は２５０ｂをタッチ操作しただけではマーキングはされないが、マーキングを行なう際にはアイコン２５０がタッチ操作されるため、本実施の形態におけるマーキング操作には、アイコン２５０のタッチ操作も含まれる。
【００６３】
再び図６を参照して、画像形成装置１００は省エネモードに移行しているものとする。画像形成装置１００は、電子黒板装置２００から送信された起動信号を受信すると、省エネモードから通常モードにモードを切替える。すなわち、通常モードへの復帰を開始する。画像形成装置１００は、起動信号を受信した後、所定のウォームアップ時間の経過後に通常モードに復帰する（省エネ復帰）。
【００６４】
ユーザが電子黒板装置２００に対して印刷命令（印刷指示）を行なうと、電子黒板装置２００は画像形成装置１００に画像データを送信する。画像形成装置１００は画像データを受信すると、受信した画像データに基づいて画像形成を行ない、印刷処理を実行する。その後、画像データの受信及び画像形成装置１００に対する操作等が行なわれない状態で所定の時間が経過すると、画像形成装置１００は再び省エネモードに移行する。
【００６５】
［本実施の形態の効果］
以上の説明から明らかなように、本実施の形態に係る画像形成システム５０を利用することにより、以下に述べる効果を奏する。
【００６６】
電子黒板装置２００は、タッチによる操作を受付けて描画像を表示する。電子黒板装置２００はさらに、タッチによるアイコン２５０の操作を受付けて当該アイコン２５０に対応する画像を表示する。電子黒板装置２００は、電子黒板装置２００は、アイコン２５０のタッチ操作されたことに応答して、起動信号を画像形成装置１００に送信する。画像形成装置１００は、電子黒板装置２００からの起動信号を受信すると、通常の通電状態への復帰を開始する。これにより、容易に、画像形成装置１００を復帰させることができる。加えて、電子黒板装置２００に表示された画像（例えば議事録）を画像形成装置１００で印刷する際に、画像データを画像形成装置１００に送信する前に、予め、画像形成装置１００の復帰を開始させておくことができる。そのため、画像データを送信してから印刷を行なうまでの時間を効果的に短縮できる。さらにアイコン２５０がタッチ操作されたか否かは容易に検知できるため、所定のタッチ操作がされたことの検知に時間が掛からない。そのため、起動信号の送信が速い。したがって、容易に、画像形成装置１００の復帰に伴うユーザの待機時間を効果的に短縮できる。
【００６７】
アイコン２５０を用いて、担当者の名前を○で囲ったり、文字列にアンダーラインを引いたりするマーキング操作は、会議の最後に行なわれる操作（動作）である。こうしたマーキング操作が行なわれたタイミングで起動信号を画像形成装置１００に送信することによって、議事録を印刷するまでに、画像形成装置１００を復帰（起動）させることができる。そのため、こうしたマーキング操作は、省エネモードから通常モードへの復帰に要する時間を考慮したタイミングで行なわれる操作といえる。したがって、アイコン２５０がタッチされたタイミングで起動信号を送信することによって、画像形成装置１００の復帰に伴うユーザの待機時間を一層効果的に短縮できる。
【００６８】
さらに、担当者の名前を○で囲ったり、文字列にアンダーラインを引いたりするマーキング操作は、会議が終了する前によく行なう操作でもある。そのため、別途、特別な操作を必要とせずに、起動信号を画像形成装置１００に送信できる。すなわち、通常の電子黒板装置２００の使用に基づいて印刷開始を予測し、事前に起動信号を画像形成装置１００に送信できる。これにより、会議の終了時には画像形成装置１００は通常の通電状態に復帰した状態となっているので、会議の終了時に直ぐに画像形成装置１００による印刷を開始できる。
【００６９】
（第２の実施の形態）
本実施の形態に係る画像形成システムは、上記第１の実施の形態に係る画像形成システム５０と同様の構成を有している。ただし、本実施の形態では、電子黒板装置が、手書き入力によって所定形状の描画像が電子黒板装置に描画されたことに応答して起動信号を送信する。この点において、本実施の形態に係る電子黒板装置は、マーキング用のアイコン２５０がタッチ操作されたことに応答して起動信号を送信する電子黒板装置２００とは異なる。
【００７０】
本実施の形態では、ユーザが、手書き入力による描画操作によって、電子黒板装置に表示されている担当者の名前を○で囲んだり、アクションアイテム及び期限等の文字列にアンダーラインを引いたりした場合に、電子黒板装置は、これらの描画操作を受付けて、手書き入力の前後の画像データの差分から○又はアンダーライン等の描画像が描画されたこと（マーキング操作がされたこと）を検出する。
【００７１】
電子黒板装置は、手書き入力による○及びアンダーラインが描画されたことを検出すると、画像形成装置１００の状態を省エネモードから通常モードに切替える起動信号を当該画像形成装置１００に送信する。
【００７２】
タッチペンを用いて手書き入力を行なう場合、電子黒板装置はユーザ（操作者）のペン操作のアクションを直接検出するため、ユーザは電子黒板装置への通常のペンの操作を行なうだけで起動信号を画像形成装置１００に送信できる。
【００７３】
本実施の形態では、上記のように、電子黒板装置は描画操作によって描画された描画像が所定形状の描画像（○（丸）又はアンダーライン等）である場合、起動信号を画像形成装置１００に送信する。所定形状の描画像を描画することによって、起動信号を画像形成装置１００に送信できるため、ユーザによって特別な操作の必要がない。そのため、ユーザの使い勝手が向上する。
【００７４】
なお、議事録の場合は基本的に書式が決定しているため、担当者についても特定の位置に記載されていることが多い。こうした場合、議事録の書式又は担当者の記載位置等を予め登録（設定）しておくことにより、担当者、アクションアイテム及び期限等の位置を容易に特定できる。そのため、担当者の名前が○で囲まれた場合に所定のマーキング操作がされたことを検出して起動信号を送信するようにしてもよい。さらに、担当者に限らず人名に○を描画した場合に、所定のマーキング操作がされたことを検出するようにしてもよい。
【００７５】
（第３の実施の形態）
本実施の形態に係る画像形成システムでは、電子黒板装置３００が周囲の音声を認識し、音声が認識されない時間が一定時間継続すると、画像形成装置１００に対して起動信号を送信する。電子黒板装置３００を会議等で使用する場合、会議の最後には発言が出なくなることが多い。又は、議長が発言を求めても無言の時間が続くことが多い。本実施の形態では、こうした点に着目し、一定時間発言がない状態を検出すると起動信号を画像形成装置１００に送信する。すなわち、一定時間発言が出ない状態を検出することによって会議の終了が近いことを予測し、議事録等の印刷を行なう前に画像形成装置１００を起動させておく。
【００７６】
［ハードウェア構成］
《電子黒板装置３００》
図７を参照して、本実施の形態に係る電子黒板装置３００は、上記第１の実施の形態に係る電子黒板装置２００と同様の構成を有している。ただし、本実施の形態に係る電子黒板装置３００は、制御装置２２０に代えて、制御装置３１０を含む点において、第１の実施の形態とは異なる。制御装置３１０は、制御装置２２０の構成において音声認識部３２０、マイク３２２及び計時部３２４をさらに含む。
【００７７】
音声認識部３２０には、マイク３２２を介して、電子黒板装置３００が設置されている周囲の音声が入力される。音声認識部３２０は、音声が入力されたか否か、及び、会議での発言と認められる程度の音量の音声が入力されたか否かを検知して、会議等における発言の有無を検出する。
【００７８】
計時部３２４はタイマであって、音声認識部３２０によって発言がないことを検出したことをトリガとしてオンされる。音声認識部３２０によって発言が検出されると、計時がストップされて、計時部３２４がリセットされる。ＣＰＵ２２２は、計時部３２４による計時時間が一定時間を経過すると、起動信号を画像形成装置１００に送信する。
【００７９】
図８を参照して、マイク３２２は、電子黒板装置３００の前面側の所定領域に取付けられている。
【００８０】
なお、画像形成装置１００の構成は、第１の実施の形態と同様であるためその記載は省略する。
【００８１】
［ソフトウェア構成］
図９を参照して、本実施の形態に係る画像形成システムにおいて、電子黒板装置３００で実行されるコンピュータプログラムの制御構造について説明する。このプログラムは、ペンソフト等の印刷機能を有するアプリケーションソフトが起動されることによって起動される。
【００８２】
このプログラムは、発言が検出されたか否かを判定し、発言が検出されなくなるまで待機するステップＳ２０００と、ステップＳ２０００において、発言が検出されていないと判定された場合に実行され、タイマをオンにして計時を開始するステップＳ２０１０と、ステップＳ２０１０の後に実行され、発言が検出されたか否かを判定し、判定結果に応じて制御の流れを分岐させるステップＳ２０２０と、ステップＳ２０２０において、発言が検出されたと判定された場合に実行され、タイマをオフにして計時部３２４をリセットし制御をステップＳ２０００に戻すステップＳ２０３０とを含む。
【００８３】
このプログラムはさらに、ステップＳ２０２０において、発言が検出されていないと判定された場合に実行され、発言が検出されていない状態で一定時間が経過したか否かを判定し、判定結果に応じて制御の流れを分岐させるステップＳ２０４０と、ステップＳ２０４０において、一定時間が経過したと判定された場合に実行され、画像形成装置１００を起動するための起動信号を当該画像形成装置１００に送信するステップＳ２０５０とを含む。ステップＳ２０４０において、発言が検出されていない状態で一定時間が経過していないと判定された場合は、制御はステップＳ２０２０に戻る。
【００８４】
このプログラムはさらに、ステップＳ２０５０の後に実行され、ユーザによる印刷指示がされたか否かを判定し、印刷指示がされるまで待機するステップＳ２０６０と、ステップＳ２０６０において、印刷指示がされたと判定された場合に実行され、印刷を実行させるコマンドとともに、画像データを画像形成装置１００に送信するステップＳ２０７０と、ステップＳ２０７０の後に実行され、ユーザによる終了操作がされたか否かを判定し、判定結果に応じて制御の流れを分岐させるステップＳ２０８０とを含む。
【００８５】
ステップＳ２０８０において、ユーザによる終了操作がされたと判定された場合は、このプログラムは終了する。一方、ステップＳ２０８０において、ユーザによる終了操作がされていないと判定された場合は、制御はステップＳ２０００に戻る。
【００８６】
［動作］
本実施の形態に係る画像形成システムは以下のように動作する。以下の説明では、電子黒板装置３００の動作の内、本発明に関連する部分のみを説明する。
【００８７】
電子黒板装置３００を用いて会議が行なわれているものとする。会議も終わりに近づき、発言が少なくなってくると、電子黒板装置３００は発言がないことを検出する（図９に示すステップＳ２０００においてＹＥＳ）。発言がないことを検出すると、電子黒板装置３００は計時を開始する（ステップＳ２０１０）。途中で発言を検出すると（ステップＳ２０２０においてＮＯ）、計時をストップして計時部３２４をリセットする（ステップＳ２０３０）。再び、発言がないことを検出すると、電子黒板装置３００は計時を開始する（ステップＳ２０１０）。
【００８８】
発言がない状態で一定時間が経過すると（ステップＳ２０４０においてＹＥＳ）、電子黒板装置３００は画像形成装置１００に起動信号を送信する（ステップＳ２０５０）。画像形成装置１００は、電子黒板装置３００から送信された起動信号を受信すると、省エネモードから通常モードにモードを切替える。すなわち、通常モードへの復帰を開始する。画像形成装置１００は、起動信号を受信した後、所定のウォームアップ時間の経過後に通常モードに復帰する（省エネ復帰）。
【００８９】
発言がなくなると会議は終了し、会議の参加者に議事録を配布するために議事録を画像形成装置１００で印刷する。ユーザが電子黒板装置３００に対して印刷指示を行なうと（ステップＳ２０６０においてＹＥＳ）、電子黒板装置３００は画像形成装置１００に画像データを送信する（ステップＳ２０７０）。画像形成装置１００は画像データを受信すると、受信した画像データに基づいて画像形成を行ない、印刷処理を実行する。
【００９０】
［本実施の形態の効果］
以上の説明から明らかなように、本実施の形態に係る画像形成システムを利用することにより、以下に述べる効果を奏する。
【００９１】
電子黒板装置３００を会議等で用いる場合、会議の終了前には発言が出なくなることが多い。電子黒板装置３００は、発言がされない状態が一定時間続くと、起動信号を画像形成装置１００に送信する。これにより、会議の終了を予測して、事前に起動信号を画像形成装置１００に送信できる。会議の終了時には画像形成装置１００は起動した状態となっているので、会議の終了時に速やかに画像形成装置１００による印刷を開始できる。
【００９２】
（第４の実施の形態）
図１０を参照して、本実施の形態に係る画像形成システムは、第１の実施の形態に係る電子黒板装置２００に代えて、電子黒板装置４００を含む。本実施の形態に係る画像形成システムでは、電子黒板装置４００に対するアクション（操作）がない時間が一定時間継続すると、当該電子黒板装置４００は、画像形成装置１００に対して起動信号を送信する。
【００９３】
電子黒板装置４００を会議等で使用する場合、会議の最後には各出席者に質問等があるかを尋ね、発言を求めることがある。そうした場合、電子黒板装置４００に対するアクションがなくなる。本実施の形態では、こうした点に着目し、電子黒板装置４００に対する無アクションの時間が一定時間を超えると起動信号を画像形成装置１００に送信する。すなわち、電子黒板装置４００に対する無アクションの状態が一定時間継続していることを検出することによって会議の終了が近いことを予測し、議事録等の印刷を行なう前に画像形成装置１００を起動させておく。
【００９４】
［ハードウェア構成］
《電子黒板装置４００》
図１０を参照して、本実施の形態に係る電子黒板装置４００は、上記第１の実施の形態に係る電子黒板装置２００と同様の構成を有している。ただし、本実施の形態に係る電子黒板装置４００は、制御装置２２０に代えて、制御装置４１０を含む点において、第１の実施の形態とは異なる。制御装置４１０は、制御装置２２０の構成において計時部４２０をさらに含む。
【００９５】
計時部４２０はタイマであって、電子黒板装置４００に対するアクションがないことを検出したことをトリガとしてオンされる。電子黒板装置４００に対するアクションが検出されると、計時がストップされて、計時部４２０がリセットされる。ＣＰＵ２２２は、計時部４２０による計時時間が一定時間を経過すると、起動信号を画像形成装置１００に送信する。なお、画像形成装置１００の構成は、第１の実施の形態と同様であるためその記載は省略する。
【００９６】
このように、電子黒板装置４００に対する無アクションの状態が一定時間継続した場合に、起動信号を送信することによっても、上記第３の実施の形態と同様、会議の終了を予測して、事前に起動信号を画像形成装置１００に送信できる。
【００９７】
（変形例）
上記実施の形態では、画像表示装置の一例である電子黒板装置に本発明を適用した例について示したが、本発明はそのような実施の形態には限定されない。マーキング操作等のタッチ操作を行なうことが可能な画像表示装置であれば、電子黒板装置以外の画像表示装置に本発明を適用することができる。
【００９８】
上記実施の形態では、電子黒板装置に接続される画像形成装置に複合機を用いた例について示したが、本発明はそのような実施の形態には限定されない。印刷機能を有する画像形成装置であれば、電子黒板装置に接続される画像形成装置は複合機以外の画像形成装置であってもよい。例えば、プリンタ等の画像形成装置を電子黒板装置に接続してもよい。
【００９９】
上記実施の形態では、電子黒板装置へのタッチ操作（マーキング操作及び描画操作を含む。）にタッチペンを用いた例について示したが、本発明はそのような実施の形態には限定されない。電子黒板装置へのタッチ操作は、タッチペン以外の部材を用いて行なうことができる。例えば、指によるタッチ操作も可能である。
【０１００】
上記第１及び第２の実施の形態では、議事録等の作成時に所定のタッチ操作を検出した際に、起動信号を画像形成装置に送信する例について示したが、本発明はそのような実施の形態には限定されない。議事録の作成時以外に、例えば、電子黒板装置を用いた講義の板書時、及び、プレゼン発表時等において所定のタッチ操作を検出した際に、起動信号を画像形成装置に送信するようにしてもよい。
【０１０１】
上記第１の実施の形態では、マーキング用のアイコンをタッチしたことを検出した際に、起動信号を画像形成装置に送信する例について示したが、本発明はそのような実施の形態には限定されない。例えば、マーキング用のアイコンのいずれかをタッチした後に、担当者等を○で囲んだり、文字列等にアンダーラインを引いたりしたのを検出した際に、起動信号を画像形成装置に送信するようにしてもよい。
【０１０２】
上記第３の実施の形態では、一定時間発言が出ない状態を検出した際に、起動信号を画像形成装置に送信する例について示した。この場合、例えば、議長の音声を予め登録しておき、音声認識部によって議長が発言した後に一定時間発言が出ないことを認識した際に、起動信号を画像形成装置に送信するようにしてもよい。
【０１０３】
上記で開示された技術を適宜組合せて得られる実施の形態についても、本発明の技術的範囲に含まれる。
【０１０４】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１０５】
５０                                      画像形成システム
１００                                    画像形成装置
１１０、２２２                            ＣＰＵ
１２０、２２４                            ＲＯＭ
１３０、２２６                            ＲＡＭ
１４０                                    ハードディスク
１７０                                    通信部
１８０                                    タッチパネルディスプレイ
２００、３００、４００                    電子黒板装置
２１０                                    表示装置
２１２                                    表示パネル
２１４                                    タッチパネル
２２０                                    制御装置
２５０、２５０ａ、２５０ｂ、２５０ｃ      アイコン
３２０                                    音声認識部
３２２                                    マイク
３２４、４２０                            計時部
【要約】
【課題】画像形成装置の復帰に伴うユーザの待機時間を効果的に短縮できる画像表示装置を提供する。
【解決手段】電子黒板装置２００は、通常モードと消費電力が抑制された省エネモードとを切替えて動作することが可能な画像形成装置１００と接続される。この電子黒板装置２００は、タッチ操作を受付けて画像を表示する（ステップＳ１０１０）。所定のマーキング操作をタッチ操作として受付けると（ステップＳ１０２０においてＹＥＥ）、それに応答して、画像形成装置１００の状態を省エネモードから通常モードに切替える起動信号を当該画像形成装置１００に送信する（ステップＳ１０３０）。電子黒板装置２００は、表示画面に表示されている画像の画像データを画像形成装置１００に送信する（ステップＳ１０８０）。
【選択図】図１【図１】
0005451847.tif 000002
【図２】
0005451847.tif 000003
【図３】
0005451847.tif 000004
【図４】
0005451847.tif 000005
【図５】
0005451847.tif 000006
【図６】
0005451847.tif 000007
【図７】
0005451847.tif 000008
【図８】
0005451847.tif 000009
【図９】
0005451847.tif 000010
【図１０】
0005451847.tif 000011